(57)【特許請求の範囲】
【請求項１】
鉄道車両内に配置され、背もたれを具備する鉄道車両用シートにおいて、
前記背もたれに設けられ、その内部に空気を充填する袋体と、
前記袋体に充填される空気量を調整し、前記背もたれが高さ方向に伸縮するように前記袋体を膨張及び収縮させる調整手段と、を備え、
前記調整手段は、
前記袋体における高さ方向の膨張及び収縮をガイドするガイドフレームを有し、
前記鉄道車両に設けられた空気圧送装置から前記袋体内に空気を供給することで、前記背もたれが高さ方向に伸長するよう前記袋体を高さ方向に膨張させると共に、
前記袋体に充填された空気を開放しつつ前記ガイドフレームの自重で前記空気を前記袋体から排出することで、前記背もたれが高さ方向に縮小するよう前記袋体を高さ方向に収縮させることを特徴とする鉄道車両用シート。
【請求項２】
前記鉄道車両の前後方向に向くクロスシート状態と前記鉄道車両の左右方向に向くロングシート状態との間で切り替え可能に構成された鉄道車両用シートであって、
前記調整手段は、前記クロスシート状態のときに、前記背もたれが高さ方向に伸長するよう前記袋体を膨張させると共に、前記ロングシート状態のときに、前記背もたれが高さ方向に縮小するよう前記袋体を収縮させることを特徴とする請求項１記載の鉄道車両用シート。
【請求項３】
前記袋体は、前記背もたれのヘッドレストを構成することを特徴とする請求項１又は２記載の鉄道車両用シート。
【請求項４】
前記袋体における高さ方向の膨張及び収縮をロックするロック機構をさらに備え、
前記調整手段は、前記ロック機構によるロック状態において、前記袋体に充填される空気量を調整し、前記袋体の柔らかさを調整することを特徴とする請求項３記載の鉄道車両用シート。
【請求項５】
前記調整手段は、前記袋体に充填された空気を吸引して前記袋体を収縮させるポンプを有することを特徴とする請求項１〜４の何れか一項記載の鉄道車両用シート。
【発明の詳細な説明】
【技術分野】
【０００１】
本発明は、鉄道車両内に配置された鉄道車両用シートに関する。
【背景技術】
【０００２】
従来の鉄道車両用シートとしては、例えば特許文献１に記載されているように、鉄道車両内に配置され、背もたれを具備するものが知られている。この特許文献１に記載の鉄道車両用シートは、ベンチシートであって、背もたれにおける各人の仕切り相当箇所に設けられた硬塊を有している。これにより、この鉄道車両用シートでは、着座者が等間隔に腰掛けるよう促される。
【先行技術文献】
【特許文献】
【０００３】
【特許文献１】実開昭６０−２８５２８号公報
【発明の概要】
【発明が解決しようとする課題】
【０００４】
ここで、上述したような鉄道車両用シートでは、例えば座り心地等の快適性を高めることが要求されている。さらに、鉄道車両用シートとしては、近年の傾向として、その構造が簡易なものが望まれている。
【０００５】
そこで、本発明は、構造を簡易化しつつ快適性を高めることができる鉄道車両用シートを提供することを課題とする。
【課題を解決するための手段】
【０００６】
上記課題を達成するため、本発明に係る鉄道車両用シートは、鉄道車両内に配置され、背もたれを具備する鉄道車両用シートにおいて、背もたれに設けられ、その内部に空気を充填する袋体と、袋体に充填される空気量を調整し、背もたれが高さ方向に伸縮するように袋体を膨張及び収縮させる調整手段と、を備え、調整手段は、袋体における高さ方向の膨張及び収縮をガイドするガイドフレームを有し、鉄道車両に設けられた空気圧送装置から袋体内に空気を供給することで、背もたれが高さ方向に伸長するよう袋体を高さ方向に膨張させると共に、袋体に充填された空気を開放しつつガイドフレームの自重で空気を袋体から排出することで、背もたれが高さ方向に縮小するよう袋体を高さ方向に収縮させることを特徴とする。
【０００７】
この本発明の鉄道車両用シートでは、調整手段によって袋体を膨張及び収縮させることで、背もたれの高さが例えば鉄道車両用シートの向きや着座者の体型等に応じた所望な高さにされ、着座者に対する座り心地及び安全性が高められる。さらに、このように、袋体を膨張及び収縮させるだけで背もたれが伸縮されるため、背もたれの伸縮に当たり複雑な組立て作業が不要であり、鉄道車両用シートの構造が簡易なものとなっている。従って、本発明によれば、構造を簡易化しつつ快適性を高めることが可能となる。
【０００９】
また、鉄道車両の前後方向に向くクロスシート状態と鉄道車両の左右方向に向くロングシート状態との間で切り替え可能に構成された切替シートであって、調整手段は、クロスシート状態のときに、背もたれが高さ方向に伸長するよう袋体を膨張させると共に、ロングシート状態のときに、背もたれが高さ方向に縮小するよう袋体を収縮させることが好ましい。この場合、クロスシート状態のときには、袋体を膨張させ、鉄道車両に特に発生し易い前後方向の揺れに対応するように背もたれを高さ方向に伸長させることができる。一方、ロングシート状態のときには、袋体を収縮させ、背もたれが窓に干渉して窓からの視界が阻害されないように背もたれを高さ方向に縮小させることができる。
【００１０】
また、袋体は、背もたれのヘッドレストを構成する場合がある。このとき、袋体における高さ方向の膨張及び収縮をロックするロック機構をさらに備え、調整手段は、ロック機構によるロック状態において、袋体に充填される空気量を調整し、袋体の柔らかさを調整することが好ましい。これにより、着座者の頭部に対する保護力及びフィット感等が着座者に応じた所望なものにでき、着座者の快適性を一層高めるこが可能となる。
【００１１】
また、調整手段は、袋体に充填された空気を吸引して袋体を収縮させるポンプを有することが好ましい。この場合、袋体を積極的に収縮させることが可能となる。
【発明の効果】
【００１２】
本発明によれば、構造を簡易化しつつ快適性を高めることが可能となる。
【図面の簡単な説明】
【００１３】
【図１】本発明の一実施形態に係る鉄道車両用シートのクロスシート時の状態を示す概略側断面図である。
【図２】図１の鉄道車両用シートのロングシート時の状態を示す概略側断面図である。
【図３】図１の状態の鉄道車両用シートを示す斜視図である。
【図４】図２の状態の鉄道車両用シートを示す斜視図である。
【図５】図２の状態の鉄道車両用シートの他の例を示す斜視図である。
【発明を実施するための形態】
【００１４】
以下、本発明の好適な実施形態について、図面を参照して詳細に説明する。なお、各図において同一又は相当要素には同一符号を付し、重複する説明を省略する。また、「前」「後」「左」「右」の語は、鉄道車両の前後方向、左右方向に対応するものである。
【００１５】
図１は本発明の一実施形態に係る鉄道車両用シートのクロスシート時の状態を示す概略側断面図、図２は図１の鉄道車両用シートのロングシート時の状態を示す概略側断面図、図３は図１の状態の鉄道車両用シートを示す斜視図、図４は図２の状態の鉄道車両用シートを示す斜視図である。なお、図１の車両進行方向は、図１では紙面左右方向、図２では紙面垂直方向、図３，４では紙面上下方向である。
【００１６】
図１〜４に示すように、本実施形態の鉄道車両用シート１は、指定席車両及び通勤形車両として兼用される鉄道車両Ｔ内に配置されるものであり、複数人が腰掛け可能なベンチシートである。具体的には、図３，４に示すように、鉄道車両用シート１は、２人掛けシートとされ、鉄道車両Ｔ内の左右方向中央に通路Ａが形成されるよう該鉄道車両Ｔ内の左右方向両端部に配設されている。ここでの鉄道車両用シート１は、指定席車両のときには前後方向を向くクロスシートとされ、通勤車両のときには左右方向を向くロングシートとされている。
【００１７】
図１に示すように、鉄道車両用シート１は、鉄道車両Ｔの床面１１に固定されたベース２と、ベース２上に設けられた座部３と、座部３に一体に設けられた背もたれ４と、を備えている。また、この鉄道車両用シート１の側部には、アームレスト５が取り付けられている。なお、背もたれ４は、背ずり又はシートバックとも称される。
【００１８】
ベース２は、座部３を支持するものであり、鉄道車両用シート１の向きに応じて座部３を好適に支持すべく左右方向に伸縮可能とされている。つまり、鉄道車両用シート１がクロスシートのときには左右方向に伸長される一方、鉄道車両用シート１がロングシートのときには左右方向に縮小される。
【００１９】
背もたれ４は、その高さ方向における中央から下端に亘って配置され座部３に連続するよう設けられた基部６と、この基部６の上方に設けられた袋体７と、を有している。袋体７は、背もたれ４の上端部を構成する、すなわち、鉄道車両用シート１のヘッドレストを構成するものとして、着座者の頭部に対応する高さ位置に配置されている。
【００２０】
この袋体７は、内部に空気を充填する空気室として機能し、充填する空気量に応じて膨張及び収縮可能とされている。具体的には、袋体７は、背もたれ４の高さが通常の鉄道車両用シートにおける背もたれの高さと同様な高さとなるまで膨張可能とされている。また、この袋体７は、図２に示すように、背もたれ４の高さが鉄道車両Ｔの窓１２に差し掛からない高さとなるまで収縮可能とされている（詳しくは、後述）。
【００２１】
この袋体７には、充填される空気量を調整するためのものとして、その内部に連通する空気流路Ｌが接続されている。空気流路Ｌとしては、例えば配管やチューブ等が用いられている。この空気流路Ｌは、袋体７内に空気を流入させるための流入流路Ｌａと、袋体７内から空気を流出させるための流出流路Ｌｂと、を含んで構成されている。
【００２２】
流入流路Ｌａ及び流出流路Ｌｂには、その流路を開放及び遮断する電磁弁８ａ，８ｂがそれぞれ設けられている。つまり、電磁弁８ａ，８ｂを共に閉とすることで、袋体７が密封状態とされる。流入流路Ｌａは、電磁弁８ａの流入方向の上流側（図示右側）においてコンプレッサ（空気圧送装置）１３に接続されている。コンプレッサ１３としては、例えば鉄道車両Ｔに既設のブレーキ用コンプレッサが利用されている。
【００２３】
一方、流出流路Ｌｂは、電磁弁８ｂの流出方向の下流側（図示右側）において吸引ポンプ（ポンプ）９に接続されている。吸引ポンプ９は、袋体７に充填された空気を吸引するように、流出流路Ｌｂを流通する空気を外部へ圧送する。
【００２４】
電磁弁８ａ，８ｂ及び吸引ポンプ９には、例えばＣＰＵ、ＲＯＭ、及びＲＡＭ等から構成されたコントローラ１０が設けられている。コントローラ１０は、電磁弁８ａ，８ｂの開閉をそれぞれ制御すると共に、吸引ポンプ９の駆動を制御する。
【００２５】
また、袋体７には、該袋体７における高さ方向の膨張及び収縮をガイドするガイドフレーム２１が取り付けられている。ガイドフレーム２１は、袋体７の上部及び背部を少なくとも覆うと共に、基部６に対し高さ方向に摺動可能（相対移動可能）に固定されている。
【００２６】
また、ガイドフレーム２１と基部６との間には、ロック機構２２が取り付けられている。ロック機構２２は、ガイドフレーム２１の基部６に対する摺動を停止させることで、袋体７における高さ方向の膨張及び収縮をロックする。ここでのロック機構２２は、ガイドフレーム２１と基部６とをビス等で互いに係止することで、ガイドフレーム２１を摺動不能にしている。
【００２７】
以上のように構成された鉄道車両用シートでは、例えば、鉄道車両用シート１がクロスシートのとき（鉄道車両Ｔが指定席車両のとき）において鉄道車両Ｔが駅に停車した場合、車掌や乗務員によってコントローラ１０が制御されて以下の動作が実行される。
【００２８】
すなわち、ベース２が左右方向に縮小されると共に、鉄道車両用シート１が車両内側を向くように座部３及び背もたれ４が９０°回転され、鉄道車両用シート１がロングシートとされる（鉄道車両Ｔが通勤車両とされる）。
【００２９】
このとき、ロック機構２２が解除され、ガイドフレーム２１が高さ方向に摺動可能な状態とされる。これと共に、互いに閉とされている電磁弁８ａ，８ｂのうちの電磁弁８ｂが開とされることで、袋体７に充填された空気が流出流路Ｌｂを介して大気開放される。併せて、ガイドフレーム２１の自重で袋体７内の空気が流出流路Ｌｂを介して外部へ排出される。これにより、袋体７がガイドフレーム２１に沿って高さ方向に収縮され、背もたれ４が高さ方向に縮小される。
【００３０】
さらに、上述した袋体７の収縮と同時に、吸引ポンプ９が駆動されて袋体７内の空気が吸引される。これにより、袋体７がガイドフレーム２１に沿って高さ方向に積極的に収縮され、背もたれ４が高さ方向に積極的に縮小される。その結果、袋体７が収縮され、背もたれ４の高さが窓１２の下端よりも低くなるまで縮小されることとなる。その後、吸引ポンプ９の駆動が停止されて電磁弁８ｂが閉とされると共に、ロック機構２２が再作動され、背もたれ４の高さが変動しない状態とされる。
【００３１】
他方、例えば、鉄道車両用シート１がロングシートのときにおいて鉄道車両Ｔが駅に停車した場合、コントローラ１０が制御されて以下の動作が実行される。
【００３２】
すなわち、ベース２が左右方向に伸長されると共に、鉄道車両用シート１が車両前側を向くように座部３及び背もたれ４が９０°回転され、鉄道車両用シート１がクロスシートとされる。このとき、ロック機構２２が解除され、ガイドフレーム２１が高さ方向に摺動可能な状態とされる。これと共に、互いに閉とされている電磁弁８ａ，８ｂのうちの電磁弁８ａが開とされ、コンプレッサ１３から袋体７内に圧縮空気が流入流路Ｌａを介して流入される。これにより、袋体７がガイドフレーム２１に沿って高さ方向に膨張させ、背もたれ４が高さ方向に伸長させる。
【００３３】
その結果、袋体７が膨張され、背もたれ４の高さが着座者の頭部に対応する高さとなるまで伸長されることとなる。その後、電磁弁８ａが閉とされると共に、ロック機構２２が再作動され、背もたれ４の高さが変動しない状態とされる。
【００３４】
以上、本実施形態の鉄道車両用シート１では、袋体７を膨張及び収縮させ、背もたれ４の高さを所望な高さ（例えば、鉄道車両用シート１の向きや着座者の体型等に応じた高さ）にすることができる。よって、着座者に対する座り心地及び安全性を高めることが可能となる。さらに、袋体７を膨張及び収縮させるだけで背もたれ４が伸縮されるため、背もたれ４の伸縮に当たって複雑な組立て作業が不要となり、シート構造が簡易なものとされる。従って、本実施形態によれば、構造を簡易化しつつ、快適性を高めることが可能となる。
【００３５】
なお、本実施形態では、前述のようにシート構造を簡易にできるため、背もたれ４の伸縮に係る例えばボルト、ねじ及びばね等を用いる必要性を低減でき、よって、軽量化が可能となると共に、部品疲労のおそれも少ない。
【００３６】
また、本実施形態では、上述したように、鉄道車両Ｔがクロスシートのときに、背もたれ４を伸長させ、ロングシートのときに、背もたれを縮小させている。よって、クロスシートのときには、鉄道車両Ｔに特に発生し易い前後方向の揺れや振動に対応するように背もたれ４を高さ方向に伸長させ、優れた座り心地と安全性を実現することができる。そして、ロングシートのときには、背もたれ４が窓１２に干渉して窓１２からの視界が阻害されないように背もたれ４を高さ方向に縮小させることができ、窓１２からの景色を快適に楽しむことが可能となる。
【００３７】
また、本実施形態では、上述したように、袋体７に充填された空気を吸引ポンプ９により吸引して袋体７を収縮させている。よって、袋体７を積極的に収縮させ、背もたれ４を迅速且つ確実に縮小させることが可能となる。
【００３８】
なお、本実施形態では、ロック機構２２によるロック状態において着座者や乗務員がコントローラ１０を制御することにより、電磁弁８ａ，８ｂの開閉及び吸引ポンプ９の駆動を制御して袋体７内の空気量を調整し、袋体７の柔らかさを調整してもよい。この場合、着座者の頭部に対する保護力及びフィット感等を着座者に応じた所望なものにすることができる。よって、快適性を一層高めるこが可能となる。
【００３９】
ちなみに、本実施形態では、例えば鉄道車両Ｔの冷暖房システムを利用し、袋体７内の空気の温度を制御することで、着座者の頭部周辺を暖めたり冷やしたりすることができる。この点においても、着座者の快適性を一層高めるこが可能となる。
【００４０】
以上、本発明の好適な実施形態について説明したが、本発明は上記実施形態に限定されるものではない。例えば、上記実施形態は、クロスシートとロングシートとで切替え可能な鉄道車両用シート１であるが、本発明は、シートの向きが変化しない通常の鉄道車両シートにも勿論適用可能である。
【００４１】
また、上記実施形態は、袋体７に充填された空気を吸引する吸引ポンプ９を備えているが、吸引ポンプ９を備えない場合もある。また、上記実施形態では、袋体７がヘッドレストを構成するよう背もたれ４の上端部に設けられているが、背もたれ４において袋体７が設けられる位置は限定されるものではなく、要は、背もたれ４が伸縮できるよう背もたれ４に設けられていればよい。例えば、図５に示すように、背もたれ４の下端部に袋体７が設けられていてもよい。この場合、袋体７が膨張及び収縮されると、背もたれ４の下部が高さ方向に伸縮され、その結果、背もたれ４の高さを所望な高さとすることが可能となる。
【００４２】
なお、以上において、ガイドフレーム２１、空気流路Ｌ及び電磁弁８ａ，８ｂが、袋体を膨張及び収縮させる調整手段を少なくとも構成する。
【符号の説明】
【００４３】
１…鉄道車両用シート、４…背もたれ、７…袋体、８ａ，８ｂ…電磁弁（調整手段）、９…吸引ポンプ（ポンプ）、１３…コンプレッサ（空気圧送装置）、２１…ガイドフレーム（調整手段）、２２…ロック機構、Ｌ…空気流路（調整手段）、Ｔ…鉄道車両。
【図１】
0005476072.tif 000002
【図２】
0005476072.tif 000003
【図３】
0005476072.tif 000004
【図４】
0005476072.tif 000005
【図５】
0005476072.tif 000006